(57)【要約】【課題】原稿を上から透かして見るのではなく原稿載置ガラス台に置いたままの原稿面を直接見ながら位置決めできる原稿位置確認装置を提供する。【解決手段】タッチ操作式表示パネル１２がオペレータ５７により手前側に開成されると原稿面確認窓５５が露出すると共にスキャナ部６の匡体内に配置されている不図示の照明装置が点灯する。オペレータ５７は目の位置を上下左右に移動させて、反射鏡５４を介して原稿載置ガラス台５１の全面に亙る原稿面の位置を確認し、匡体内面側の枠面裏側原稿サイズ表示位置５６に原稿サイズ目盛と共に鏡文字で表記されている用紙サイズ名称を確認しながら原稿の読み取り位置を容易に調整することができる。【選択図】      図４
2006258910.tif 000002
【特許請求の範囲】
【請求項１】
複写機能を有する画像形成装置の原稿載置ガラス台に原稿面を下向きに置かれた原稿に対して下方に配置された照明装置からの光を照射して前記原稿面を読み取る原稿位置確認装置において、
前記原稿面の反射光を装置外部に向けて反射させる反射鏡と、
該反射鏡からの反射光を確認する原稿面確認窓と、
を備えることを特徴とする原稿位置確認装置。
【請求項２】
前記原稿面確認窓は、前記画像形成装置に回動自在に設けられた操作パネル部の裏面に対向する位置に形成されている、ことを特徴とする請求項１記載の原稿位置確認装置。
【請求項３】
前記照明装置は、前記原稿面確認窓を外部に露出させるべく回動した前記操作パネル部の回動に連動して自動的に点灯し、前記原稿面確認窓を外部から遮蔽すべく回動した前記操作パネル部の回動に連動して自動的に消灯する、ことを特徴とする請求項１記載の原稿位置確認装置。
【請求項４】
前記原稿面確認窓は、裏面に凹面レンズを備えている、ことを特徴とする請求項１記載の原稿位置確認装置。
【請求項５】
前記反射鏡は、反射面に凸面レンズを備えている、ことを特徴とする請求項１記載の原稿位置確認装置。
【発明の詳細な説明】
【技術分野】
【０００１】
本発明は、複写機能を有する画像形成装置の原稿載置ガラス台に原稿面を下向きに置かれた原稿に対して下方に配置された照明装置からの光を照射して原稿面の位置を読み取る原稿位置確認装置に関する。
【背景技術】
【０００２】
従来、複写機のように複写機能を有する画像形成装置では、原稿載置ガラス台に原稿面を下向きに置かれて押さえ蓋で押さえ込まれた枚葉紙状の被複写書類、又は原稿載置ガラス台に所望のページを見開きにした面を下向きに置かれた冊子状の被複写書類を、原稿読み取り装置により下方に配置された照明装置からの光を照射して被複写面を走査し、その被複写面の走査画像を画像形成装置によって印刷する。
【０００３】
あるいは、自動送り装置で原稿載置ガラス台上に自動的に送りこまれ、原稿載置ガラス台に原稿面を下向きに配置された枚葉紙状の複写原稿を、上記同様に下方に配置された照明装置からの光を照射して原稿面を走査して、走査画像を印刷する。
【０００４】
ところで、一般に複写機の複写可能な原稿サイズは、最大でもＡ３判の用紙の大きさであり、この場合は上記の原稿載置ガラス台の大きさも、Ａ３判の用紙の大きさに対応している。
【０００５】
したがって、被複写面や原稿面（以下、一括して原稿面という）の大きさが、上記の原稿載置ガラス台の大きさ以内であれば問題ないが、例えば１ｍ四方もあるような大きさの設計図面の一部を複写するときなどでは、複写したい部分をＡ３判の大きさの原稿載置ガラス台の面内に収めなければならない。
【０００６】
ところが、原稿載置ガラス台には原稿面を下向きにして置かねばならない、つまり複写作業をする者にとっては原稿面を見ることができない。したがって、所望の複写部分が原稿載置ガラス台の面に正しく対面しているか否かを確認することができない。
【０００７】
種々工夫しながら所望の複写部分と思われる部分を原稿載置ガラス台の面に設定して複写を実行しても、一般的には位置がずれて複写され、やり直しをする場合が多く、なかなか原稿の位置決めが困難であった。
【０００８】
このような問題を解決する方法として、従来、読み取り装置の内部から原稿載置ガラス台を通して原稿面に光を照射し、その照明により原稿を上から透かして見ることによって所望の原稿面を原稿載置ガラス台の面に正しく対面させる方法が提案されている。（例えば、特許文献１、２、及び３参照。）
【特許文献１】特開平１０−１２６５８０号公報
【特許文献２】特開平０８−２７８５７４号公報
【特許文献３】特開平０９−２８８３１８号公報
【発明の開示】
【発明が解決しようとする課題】
【０００９】
しかしながら、上記いずれの特許文献における方法も、原稿面を下から照明し原稿を上から透かして見て位置決めする方法であるので、ａ：透けて見えない原稿は位置決めできない、ｂ：両面印刷原稿では両面の画像が重なって見えて位置決めが困難である、ｃ：冊子状の原稿では透かして見ること自体が出来ない、ｄ：下から照明する光源をオン、オフする手間が面倒である、といった問題が残るものであった。
【００１０】
本発明の課題は、上記従来の実情に鑑み、原稿を上から透かして見るのではなく原稿載置ガラス台に置いたままの原稿面を直接見ながら位置決めできる原稿位置確認装置を提供することである。
【課題を解決するための手段】
【００１１】
以下に、本発明に係わる原稿位置確認装置の構成を述べる。
本発明の原稿位置確認装置は、複写機能を有する画像形成装置の原稿載置ガラス台に原稿面を下向きに置かれた原稿に対して下方に配置された照明装置からの光を照射して上記原稿面を読み取る原稿位置確認装置において、上記原稿面の反射光を装置外部に向けて反射させる反射鏡と、該反射鏡からの反射光を確認する原稿面確認窓と、を備えて構成される。
【００１２】
上記原稿面確認窓は、例えば、上記画像形成装置に回動自在に設けられた操作パネル部の裏面に対向する位置に形成されるように構成される。
また、上記照明装置は、例えば、上記原稿面確認窓を外部に露出させるべく回動した上記操作パネル部の回動に連動して自動的に点灯し、上記原稿面確認窓を外部から遮蔽すべく回動した上記操作パネル部の回動に連動して自動的に消灯するように構成される。
【００１３】
この原稿位置確認装置において、上記原稿面確認窓は、裏面に凹面レンズを備えるように構成してもよく、また、上記反射鏡は、反射面に凸面レンズを備えるように構成してもよい。
【発明の効果】
【００１４】
本発明によれば、原稿載置ガラス台に置いた原稿面を、反射鏡により原稿面確認窓を通して直接見ながら位置決めできるので、透けて見えない原稿、両面印刷の原稿、又は冊子状の原稿でも、容易に位置決めすることができて便利である。
【発明を実施するための最良の形態】
【００１５】
以下、本発明の実施の形態を図面を参照しながら説明する。
（実施形態１）
図１は、実施形態１としての原稿位置確認装置を備えた多機能型画像形成装置（以下、略してＭＦＰ装置という）の外観斜視図である。同図に示すＭＦＰ装置１は、電子写真式で二次転写方式のタンデム型のカラー画像形成装置を主要部とする複合型のＭＦＰ装置である。
【００１６】
同図に示すように、このＭＦＰ装置１は、原稿供給トレー２、原稿押さえ開閉蓋３、外面に総合操作部４を備えたスキャナ本体部５から成るスキャナ部６を最上部に備えている。
【００１７】
そして、スキャナ部６の下に、最上部に排紙トレー７を形成されている画像形成本体部８が配置され、最下部には２段構成の給紙部９が配設されている。上記の総合操作部４には、多数の操作キー１１と、操作パネル部としてのタッチ操作式表示パネル１２が配置されている。
【００１８】
図２は、上記ＭＦＰ装置１の内部構成を説明する断面図である。同図に示すようにＭＦＰ装置１の画像形成本体部８は、電子写真式で二次転写方式のタンデム型のカラー画像形成装置であり、４つの画像形成部１３、中間転写ベルトユニット１４、上述した給紙部９、及び両面印刷用搬送ユニット１５で構成されている。
【００１９】
上記４つの画像形成部１３は、同図の右から左へ５個の画像形成ユニット１６（１６Ｍ、１６Ｃ、１６Ｙ、１６Ｋ）を多段式に並設した構成からなる。
上記４個の画像形成ユニット１６のうち上流側（図の右側）の３個の画像形成ユニット１６Ｍ、１６Ｃ及び１６Ｙは、それぞれ減法混色の三原色であるマゼンタ（Ｍ）、シアン（Ｃ）、イエロー（Ｙ）の色トナーによるモノカラー画像を形成する。
【００２０】
そして、画像形成ユニット１６Ｋは、主として文字や画像の暗黒部分等に用いられるブラック（Ｋ）トナーによるモノクロ画像を形成する。
上記の各画像形成ユニット１６は、トナー容器に収納されたトナーの色を除き全て同じ構成である。したがって、以下ブラック（Ｋ）用の画像形成ユニット１６Ｋを例にしてその構成を説明する。
【００２１】
画像形成ユニット１６は、最下部に感光体ドラム１７を備えている。この感光体ドラム１７は、その周面が例えば有機光導電性材料で構成されている。この感光体ドラム１７の周面近傍を取り巻いて、クリーナ１８、帯電器１９、光書込ヘッド２１、及び現像器２２の現像ローラ２３が配置されている。
【００２２】
現像器２２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備え、下部には側面開口部に上述した現像ローラ２３を備え、内部にトナー撹拌部材、現像ローラ２３にトナーを供給するトナー供給ローラ、現像ローラ２３上のトナー層を一定の層厚に規制するドクターブレード等を備えている。
【００２３】
中間転写ベルトユニット１４は、本体装置のほぼ中央で図の左右のほぼ端から端まで扁平なループ状になって延在する転写ベルト２４と、この転写ベルト２４を掛け渡されて転写ベルト２４を図の反時計回り方向に循環移動させる駆動ローラ２５と従動ローラ２６を備えている。
【００２４】
上記の転写ベルト２４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２５】
この中間転写ベルトユニット１４は、上記扁平なループ状の転写ベルト２４のループ内にベルト位置制御機構２７を備えている。ベルト位置制御機構２７は、転写ベルト２４を介して感光体ドラム１７の下部周面に押圧する導電性発泡スポンジから成る一次転写ローラ２８を備えている。
【００２６】
ベルト位置制御機構２７は、マゼンタ（Ｍ）、シアン（Ｃ）、及びイエロー（Ｙ）の３個の画像形成ユニット１６Ｍ、１６Ｃ及び１６Ｙに対応する３個の一次転写ローラ２８を鉤型の支持軸を中心に同一周期で回転移動させ、ブラック（Ｋ）の画像形成ユニット１６Ｋに対応する１個の一次転写ローラ２８を上記３個の一次転写ローラ２８の周期と異なる回転移動周期で回転移動させる。
【００２７】
これにより、転写ベルト２４を感光体ドラム１７から離接させ、フルカラーモード（３個全部の一次転写ローラ２８が転写ベルト２４に当接）、モノクロモード（画像形成ユニット１６Ｋに対応する一次転写ローラ２８のみが転写ベルト２４に当接）、及び全非転写モード（４個全部の一次転写ローラ２８が転写ベルト２４から離れる）に切換える。
【００２８】
上記の中間転写ベルトユニット１４には、上面部のベルト移動方向最上流側の画像形成ユニット１６Ｍの更に上流側に、ベルトクリーナユニット２９が配置され、下面部のほぼ全面に沿い付けるように、平らで薄型の廃トナー回収容器３０が着脱自在に配置されている。
【００２９】
給紙部９は、上下２段に配置された２個の給紙カセット３１を備え、２個の給紙カセット３１の給紙口（図の右方）近傍には、それぞれ用紙取出ローラ３２、給送ローラ３３、捌きローラ３４、待機搬送ローラ対３５が配置されている。
【００３０】
待機搬送ローラ対３５の用紙搬送方向（図の上鉛直方向）には、転写ベルト２４を介して従動ローラ２６に圧接する二次転写ローラ３６が配設されて、用紙への二次転写部を形成している。
【００３１】
この二次転写部の下流（図では上方）側にはベルト式熱定着装置３７が配置されて、ベルト式熱定着装置３７の更に下流側には、定着後の用紙をベルト式熱定着装置３７から搬出する搬出ローラ対３８、及びその搬出される用紙を装置上面に形成されている排紙トレー７に排紙する排紙ローラ対４１が配設されている。
【００３２】
両面印刷用搬送ユニット１５は、上記搬出ローラ対３８と排紙ローラ対４１との中間部の搬送路から図の右横方向に分岐した開始返送路４２ａ、それから下方に曲がる中間返送路４２ｂ、更に上記とは反対の左横方向に曲がって最終的に返送用紙を反転させる終端返送路４２ｃ、及びこれらの返送路の途中に配置された３組の返送ローラ対４３ａ、４３ｂ、４３ｃを備えている。上記終端返送路４２ｃの出口には、本体装置内部側に搬入ローラ対４４が配設されている。
【００３３】
ところで、本例において中間転写ベルトユニット１４の上面部に配置されるベルトクリーナユニット２９は、２段に配置した下部のクリーニングローラ４５、上部の取り込みローラ４６、及び搬送スクリュー４７を備えている。下部のクリーニングローラ４５は転写ベルト２４の上面に当接して廃トナーを擦り取って除去し、取り込みローラ４６はクリーニングローラ４５が除去した廃トナーを引き継いでベルトクリーナユニット２９内に溜め込み、搬送スクリュー４７は溜め込まれた廃トナーを落下筒４８の上部まで搬送し、落下筒４８を介して廃トナー回収容器３０に送り込んでいる。
【００３４】
そして、上記のクリーニングローラ４５を適度の圧力で転写ベルト２４に圧接させるために、中間転写ベルトユニット１４側には、下方から転写ベルト２４をクリーニングローラ４５に向けて押圧する押圧ローラ４９が設けられている。
【００３５】
このような廃トナーの回収には、本例のようにクリーニングローラ４５を用いると限るものではなく、例えばクリーニングブラシ、クリーニングブレードなども使用される。特にクリーニングブレードを用いる場合は、クリーニングブレードと転写ベルト間の摩擦抵抗が温湿度環境によって変化することに対応して摩擦抵抗を一定に保つように対処し、常に良好なクリーニング作用を維持することが必要となる。
【００３６】
図３(a) は、上記構成の画像形成装置の原稿位置確認装置において、原稿押さえ開閉蓋３が９０°回動されて開成されて、原稿載置ガラス台が露出された状態を模式的に示す外観平面図であり、同図(b) はその正面図、同図(c) はその側面図を示す図である。
【００３７】
尚、図３(a),(b),(c) には、本発明の要部の構成を簡潔に示すため、スキャナ部６のみを示し、図１及び図２に示したスキャナ部６より下方の画像形成本体部８、給紙部９等の図示は省略している。また、スキャナ部６の原稿押さえ開閉蓋３と一体に設けられている原稿供給トレー２の図示も省略している。
【００３８】
また、図３(a),(b),(c) には、図１及び図２に示した構成と同一構成部分には、図１及び図２と同一の番号を付与して示している。
図３(a),(c) に示すように、本例のスキャナ部６は、原稿を置く原稿載置ガラス台５１を備え、この原稿載置ガラス台５１上に置かれた原稿を固定するための原稿押さえ開閉蓋３が、原稿載置ガラス台５１を覆う水平位置と、同図(a),(b),(c) に示すように原稿の抜き差し作業のためのほぼ垂直位置とに、ヒンジ５２を支点にして回動自在に配設されている。
【００３９】
図３(a) に示すように、原稿載置ガラス台５１の上方端部側（原稿押さえ開閉蓋３の付け根側）の枠面には、Ａ５ｖ、Ａ４ｖ、Ａ３ｖの用紙サイズ名称と共に、その用紙サイズ名称に対応する原稿サイズ目盛りが印刷等で表示されている。
【００４０】
尚、Ａ５ｖとＡ４ｖの間にはＢ５ｖがあり、Ａ４ｖとＡ３ｖの間にはＢ４ｖの原稿サイズ目盛りが設けられているが、図３(a) には図示を省略している。
このスキャナ部６の前方には、上面手前と前面上部を切り欠いた形状の位置に斜めに配置された総合操作部４があり、この総合操作部４には、総合操作部４のほぼ１／２を占めるほどの大きさのタッチ操作式表示パネル１２が配置されている。
【００４１】
スキャナ部６の内部には、原稿を光学的に読み取るスキャナユニット５３が内蔵され、図３(a),(b) の左右（図３(c) では紙面奥行き方向手前と向う側）に移動することにより原稿面全体を走査して原稿面を読み取るようになっている。そして走査時以外は、図３(a),(b) に示すようにスキャナ部６匡体内の端部に位置している。
【００４２】
図４(a) は、図３(b) のＡ−Ａ´矢視断面図であり、図４(b) は、その動作状態を説明する図である。図４(a) に示すように、スキャナ部６の匡体内には、スキャナユニット５３の走査時の移動に邪魔にならない位置すなわち底部に反射鏡５４が配設されている。
【００４３】
また、タッチ操作式表示パネル１２は、ヒンジ５９を支点にして図４(b) に示すように装置手前側に回動自在に配設されている。スキャナ部６の匡体の上記回動自在に設けられたタッチ操作式表示パネル１２の裏面に対向する位置に、素通しの原稿面確認窓５５が形成されている。
【００４４】
また、図３(a) に示した原稿載置ガラス台５１の上方端部側の枠面のＡ５ｖ、Ａ４ｖ、Ａ３ｖ等の用紙サイズ名称とその用紙サイズ名称に対応する原稿サイズ目盛りが印刷等で表示さている位置に対応する図４(a),(b) に示す枠面裏側原稿サイズ表示位置５６に、特には図示しないが、上記同様の原稿サイズ目盛りが印刷等で表示され、更に用紙サイズ名称が鏡文字で表記されている。
【００４５】
また、これも特には図示しないが、スキャナ部６の匡体内には、原稿載置ガラス台５１上に置かれた原稿面を下から照明する照明装置が配設されている。
この照明装置は、図４(a) に示すようにタッチ操作式表示パネル１２が閉成されて原稿面確認窓５５が外部から遮蔽されているときは消灯し、図４(b) に示すようにタッチ操作式表示パネル１２が開成されて原稿面確認窓５５が外部に露出されているときに点灯するように、タッチ操作式表示パネル１２の開閉に連動して動作する。
【００４６】
上記のように構成される本例の原稿位置確認装置において以下に動作を説明する。
図４(b) に示すように、先ず、タッチ操作式表示パネル１２がオペレータ５７によって装置手前側に開成される。これによって原稿面確認窓５５が外部に露出すると共に、スキャナ部６の匡体内に配置されている不図示の照明装置が点灯する。
【００４７】
オペレータ５７が原稿載置ガラス台５１の上に原稿（図示省略）を置き、原稿面確認窓５５から内部の反射鏡５４を介して原稿面の位置を確認する。
上記の原稿面確認窓５５はタッチ操作式表示パネル１２に対応する比較的大きな窓であるので、オペレータ５７は、図４(b) に示すように、原稿面確認窓５５に対して、図４(b) に示す上下位置と、図４(b) では紙面奥行き方向となる左右に目の位置を移動させることにより、反射鏡５４を介して原稿載置ガラス台５１の全面に亙る原稿面の位置を容易に確認することができ、これにより、原稿の読み取り位置を容易に調整することができる。
【００４８】
また、原稿面確認窓５５から反射鏡５４を介して覗き込んでいる匡体内面側の枠面裏側原稿サイズ表示位置５６には、原稿サイズ目盛と共に用紙サイズ名称が鏡文字で表記されているので、原稿の所望の複写部分を裏面の目盛りを確認しながらより正確に位置決めすることが可能となる。また、原稿の所望の部分の複写に使用すべき用紙のサイズを容易に知ることができる。
【００４９】
このように原稿の位置決めが終わったならば、原稿押さえ開閉蓋３を水平に閉じて原稿載置ガラス台５１上に原稿を固定する。そしてタッチ操作式表示パネル１２を図４(a) に示す複写実行時の位置に戻すことにより、原稿位置確認窓５５が外部から遮蔽されて外光の入射が遮断されと共に、タッチ操作式表示パネル１２の閉成に連動して内部の照明装置が消灯する。その後は、通常の複写動作に移る。
【００５０】
このように、本発明の実施形態１によれば、スキャナ部６の原稿載置ガラス台５１のある匡体内部に反射鏡５４を設け、オペレータ５７が原稿面確認窓５５を通して原稿面を反射鏡５５で反射させて見ることにより、原稿面を上から透視するのではなく直接反射像で確認するので、透けて見えない原稿、両面印刷の原稿、又は冊子状の原稿でも、容易に位置決めすることができる。
【００５１】
また、タッチ操作式表示パネル１２を原稿面確認窓５５の遮蔽蓋として兼用するようにしているので、大きな覗き窓を形成することが可能となると共に、複写実行時に外光が入射する原稿面確認窓５５の蓋を閉め忘れるという不都合が防止される。
【００５２】
また、サイズ表示目盛りと共に表記するサイズ名称を鏡文字にして匡体内面側に配置するので、反射像を目視したまま原稿面の位合わせが正確にできるようになり、面倒がなくて便利である。
【００５３】
（実施形態２）
図５は、実施形態２としての原稿位置確認装置の側断面図である。図５には、図４(a),(b) と同一の構成部分には図４(a),(b) と同一の番号を付与して示している。
【００５４】
上記の実施形態１では原稿面確認窓５５を単純な素通しの覗き窓としたが、本例では、図５に示すように、原稿面確認窓５５は周囲枠に透明のガラス又は硬質樹脂から成る凹レンズ５８を嵌め込んで形成される。
【００５５】
この凹レンズ５８は、反射鏡５４から反射して入射する光束を絞って出射するため、この出射光束を観察するオペレータ５７の視野が広がるので、オペレータ５７は目の位置を僅かに移動させるだけで、反射鏡５４を介して原稿載置ガラス台５１の全面に亙る原稿面を見通すことができるので便利である。
【００５６】
（実施形態３）
図６は、実施形態３としての原稿位置確認装置の側断面図である。同図も、図４(a),(b) と同一の構成部分には図４(a),(b) と同一の番号を付与して示している。
【００５７】
本例では、原稿面確認窓５５を実施形態１と同様に単純な素通しの覗き窓としている代わりに、反射鏡を単なる平面鏡ではなく、凸面鏡５９としている。
凸面鏡５９は反射光束を拡大するため、この場合も反射光束を観察するオペレータ５７の視野が広がるので、オペレータ５７は反射鏡５４を介して原稿載置ガラス台５１の全面に亙る原稿面を見通すことができるので便利である。
【図面の簡単な説明】
【００５８】
【図１】実施形態１としての原稿位置確認装置を備えた画像形成装置（ＭＦＰ）の外観斜視図である。
【図２】実施形態１としての原稿位置確認装置を備えた画像形成装置（ＭＦＰ）の内部構成を説明する断面図である。
【図３】(a) は実施形態１としての画像形成装置の原稿位置確認装置の原稿押さえ開閉蓋が９０°回動されて開成され原稿載置ガラス台が露出された状態を示す平面図、(b) はその正面図、(c) はその側面図を示す図である。
【図４】(a) は図３(b) のＡ−Ａ´矢視断面図、(b) はその動作状態を説明する図である。
【図５】実施形態２としての原稿位置確認装置の側断面図である。
【図６】実施形態３としての原稿位置確認装置の側断面図である。
【符号の説明】
【００５９】
１      ＭＦＰ
２      原稿供給トレー
３      原稿押さえ開閉蓋
４      総合操作部
５      スキャナ本体部
６      スキャナ部
７      排紙トレー
８      画像形成本体部
９      給紙部
１１    操作キー
１２    タッチ操作式表示パネル
１３    画像形成部
１４    中間転写ベルトユニット
１５    両面印刷用搬送ユニット
１６（１６Ｍ、１６Ｃ、１６Ｙ、１６Ｕ、１６Ｋ）  画像形成ユニット
１７（１７ｍ、１７ｃ、１７ｙ、１７ｕ、１７ｋ）  感光体ドラム
１８    クリーナ
１９    帯電器
２１（２１Ｍ、２１Ｃ、２１Ｙ、２１Ｕ、２１Ｋ）  光書込ヘッド
２２    現像器
２３    現像ローラ
２４    転写ベルト
２５    駆動ローラ
２６    従動ローラ
２７    ベルト位置制御機構
２８    一次転写ローラ
２９    ベルトクリーナユニット
３０    廃トナー回収容器
３１    給紙カセット
３２    用紙取出ローラ
３３    給送ローラ
３４    捌きローラ
３５    待機搬送ローラ対
３６    二次転写ローラ
３７    ベルト式熱定着装置
３８    搬出ローラ対
３９    排紙トレー
４１    排紙ローラ対
４２ａ  開始返送路
４２ｂ  中間返送路
４２ｃ  終端返送路
４３ａ、３３ｂ、３３ｃ  返送ローラ対
４４    搬入ローラ対
４５    クリーニングローラ
４６    取り込みローラ
４７    搬送スクリュー
４８    落下筒
４９    押圧ローラ
５１    原稿載置ガラス台
５２    ヒンジ
５３    スキャナユニット
５４    ヒンジ
５５    原稿面確認窓
５６    枠面裏側原稿サイズ表示位置
５７    オペレータ（の目）
５８    凹レンズ
【図２】
2006258910.tif 000003
【図３】
2006258910.tif 000004
【図４】
2006258910.tif 000005
【図５】
2006258910.tif 000006
【図６】
2006258910.tif 000007
【図１】
2006258910.tif 000008